(57)【要約】      （修正有）【課題】機体外に投出された紙幣の取り忘れを防止することができるとともに、紙幣の投出動作開始から硬貨の投出動作開始までの時間を適切な大きさとすることができるため出金処理にかかる時間を短縮することができる貨幣処理機、貨幣処理システムおよび貨幣処理方法を提供する。【解決手段】貨幣釣銭機に設けられた制御部は、紙幣投出手段および硬貨投出手段により紙幣および硬貨をそれぞれ投出する際に、紙幣投出手段による紙幣の投出動作の開始後、設定時間が経過した後に硬貨投出手段による硬貨の投出動作を開始するよう紙幣投出手段および硬貨投出手段の制御を行う。このような制御部において、紙幣投出手段および硬貨投出手段によりそれぞれ投出されるべき紙幣および硬貨の各々の枚数に基づいて、設定時間が設定されるようになっている。【選択図】図５
2016033766.tif 000002
【特許請求の範囲】
【請求項１】
少なくとも紙幣の出金処理を行う紙幣処理装置および少なくとも硬貨の出金処理を行う硬貨処理装置を備えた貨幣処理機であって、
機体内に収納されている紙幣を機体外に投出するための紙幣投出手段と、
機体内に収納されている硬貨を機体外に投出するための硬貨投出手段と、
前記紙幣投出手段および前記硬貨投出手段により紙幣および硬貨をそれぞれ投出する際に、前記紙幣投出手段による紙幣の投出動作の開始後、設定時間が経過した後に前記硬貨投出手段による硬貨の投出動作を開始するよう前記紙幣投出手段および前記硬貨投出手段の制御を行う制御部と、
を備え、
前記制御部において、前記紙幣投出手段および前記硬貨投出手段によりそれぞれ投出されるべき紙幣および硬貨の各々の枚数に基づいて、前記設定時間が設定されるようになっている、貨幣処理機。
【請求項２】
前記紙幣投出手段および前記硬貨投出手段によりそれぞれ投出されるべき紙幣および硬貨の各々の枚数の組み合わせと前記設定時間との関係を示すテーブルを記憶する記憶部を更に備え、
前記制御部において、前記記憶部に記憶される前記テーブルに基づいて前記設定時間が設定される、請求項１記載の貨幣処理機。
【請求項３】
前記制御部において、前記紙幣投出手段および前記硬貨投出手段によりそれぞれ投出されるべき紙幣および硬貨の各々の枚数と前記設定時間との間の関係式により前記設定時間が設定される、請求項１記載の貨幣処理機。
【請求項４】
前記制御部において、前記紙幣投出手段による紙幣の投出動作の時間よりも前記硬貨投出手段による硬貨の投出動作の時間が大きくなると見込まれる場合には前記設定時間が０と設定される、請求項１乃至３のいずれか一項に記載の貨幣処理機。
【請求項５】
前記硬貨処理装置において、前記硬貨投出手段により硬貨が機体外に投出される箇所の近傍には表示部が設けられており、
前記制御部は、前記紙幣投出手段により機体外に投出された紙幣が前記紙幣処理装置から抜き取られたことが検知されたときに、前記表示部において表示を行うようになっている、請求項１乃至４のいずれか一項に記載の貨幣処理機。
【請求項６】
少なくとも紙幣の出金処理を行う紙幣処理装置、少なくとも硬貨の出金処理を行う硬貨処理装置、ならびに前記紙幣処理装置および前記硬貨処理装置の管理を行う管理装置を備えた貨幣処理システムであって、
紙幣を機体外に投出するための紙幣投出手段と、
硬貨を機体外に投出するための硬貨投出手段と、
前記紙幣投出手段および前記硬貨投出手段により紙幣および硬貨をそれぞれ投出する際に、前記紙幣投出手段による紙幣の投出動作の開始後、設定時間が経過した後に前記硬貨投出手段による硬貨の投出動作を開始するよう前記紙幣投出手段および前記硬貨投出手段の制御を行う制御部と、
を備え、
前記制御部において、前記紙幣投出手段および前記硬貨投出手段によりそれぞれ投出されるべき紙幣および硬貨の各々の枚数に基づいて、前記設定時間が設定されるようになっている、貨幣処理システム。
【請求項７】
少なくとも紙幣の出金処理を行う紙幣処理装置および少なくとも硬貨の出金処理を行う硬貨処理装置を備えた貨幣処理機において紙幣および硬貨をそれぞれ機体外に投出する貨幣処理方法であって、
前記貨幣処理機の機体外に投出されるべき紙幣および硬貨の枚数を特定する工程と、
特定された紙幣および硬貨の各々の枚数に基づいて設定時間を設定する工程と、
前記紙幣処理装置において紙幣を機体外に投出する動作を開始する工程と、
前記紙幣処理装置における紙幣の投出動作の開始後、設定された前記設定時間が経過した後に、前記硬貨処理装置において硬貨を機体外に投出する動作を開始する工程と、
を備えた、貨幣処理方法。
【請求項８】
少なくとも紙幣の出金処理を行う紙幣処理装置および少なくとも硬貨の出金処理を行う硬貨処理装置を備えた貨幣処理機であって、
機体内に収納されている紙幣を機体外に投出するための紙幣投出手段と、
機体内に収納されている硬貨を機体外に投出するための硬貨投出手段と、
前記紙幣投出手段により機体外に投出されるべき紙幣が一時的に保留される紙幣出金一時保留部と、
前記硬貨投出手段により機体外に投出されるべき硬貨が一時的に保留される硬貨出金一時保留部と、
前記紙幣投出手段および前記硬貨投出手段により紙幣および硬貨をそれぞれ投出する際に、機体外に投出されるべき紙幣が全て前記紙幣出金一時保留部に送られた後に当該紙幣出金一時保留部に一時的に保留された紙幣を機体外に投出し、一方、機体外に投出されるべき硬貨が全て前記硬貨出金一時保留部に送られても前記紙幣出金一時保留部に一時的に保留された紙幣が機体外に投出されるまでは前記硬貨出金一時保留部に一時的に保留された硬貨を機体外に投出しないよう前記紙幣投出手段、前記硬貨投出手段、前記紙幣出金一時保留部および前記硬貨出金一時保留部の制御を行う制御部と、
を備えた、貨幣処理機。
【請求項９】
前記制御部は、前記紙幣投出手段により機体外に投出された紙幣が前記紙幣処理装置から抜き取られたことが検知されたときに、当該硬貨出金一時保留部に一時的に保留された硬貨を機体外に投出するようになっている、請求項８記載の貨幣処理機。
【請求項１０】
前記硬貨処理装置において、前記硬貨投出手段により硬貨が機体外に投出される箇所の近傍には表示部が設けられており、
前記制御部は、前記紙幣投出手段により機体外に投出された紙幣が前記紙幣処理装置から抜き取られたことが検知されたときに、前記表示部において表示を行うようになっている、請求項８または９記載の貨幣処理機。
【請求項１１】
少なくとも紙幣の出金処理を行う紙幣処理装置、少なくとも硬貨の出金処理を行う硬貨処理装置、ならびに前記紙幣処理装置および前記硬貨処理装置の管理を行う管理装置を備えた貨幣処理システムであって、
機体内に収納されている紙幣を機体外に投出するための紙幣投出手段と、
機体内に収納されている硬貨を機体外に投出するための硬貨投出手段と、
前記紙幣投出手段により機体外に投出されるべき紙幣が一時的に保留される紙幣出金一時保留部と、
前記硬貨投出手段により機体外に投出されるべき硬貨が一時的に保留される硬貨出金一時保留部と、
前記紙幣投出手段および前記硬貨投出手段により紙幣および硬貨をそれぞれ投出する際に、機体外に投出されるべき紙幣が全て前記紙幣出金一時保留部に送られた後に当該紙幣出金一時保留部に一時的に保留された紙幣を機体外に投出し、一方、機体外に投出されるべき硬貨が全て前記硬貨出金一時保留部に送られても前記紙幣出金一時保留部に一時的に保留された紙幣が機体外に投出されるまでは前記硬貨出金一時保留部に一時的に保留された硬貨を機体外に投出しないよう前記紙幣投出手段、前記硬貨投出手段、前記紙幣出金一時保留部および前記硬貨出金一時保留部の制御を行う制御部と、
を備えた、貨幣処理システム。
【請求項１２】
少なくとも紙幣の出金処理を行う紙幣処理装置および少なくとも硬貨の出金処理を行う硬貨処理装置を備えた貨幣処理機において紙幣および硬貨をそれぞれ機体外に投出する貨幣処理方法であって、
機体内に収納されている紙幣のうち機体外に投出されるべき紙幣を紙幣出金一時保留部に一時的に保留させる工程と、
機体内に収納されている硬貨のうち機体外に投出されるべき硬貨を硬貨出金一時保留部に一時的に保留させる工程と、
機体外に投出されるべき紙幣が全て前記紙幣出金一時保留部に送られた後に当該紙幣出金一時保留部に一時的に保留された紙幣を機体外に投出する工程と、
機体外に投出されるべき硬貨が全て前記硬貨出金一時保留部に送られたときに、前記紙幣出金一時保留部に一時的に保留された紙幣が機体外に投出された後に前記硬貨出金一時保留部に一時的に保留された硬貨を機体外に投出する工程と、
を備えた、貨幣処理方法。
【発明の詳細な説明】
【技術分野】
【０００１】
本発明は、少なくとも紙幣の出金処理を行う紙幣処理装置および少なくとも硬貨の出金処理を行う硬貨処理装置を備えた貨幣処理機、このような貨幣処理機を備えた貨幣処理システムおよびこのような貨幣処理機により紙幣および硬貨をそれぞれ機体外に投出する貨幣処理方法に関する。
【背景技術】
【０００２】
従来から、紙幣や硬貨等の貨幣の処理を行う貨幣処理機として様々なタイプのものが知られている。具体的には、紙幣釣銭機および硬貨釣銭機が組み合わせられた貨幣釣銭機がスーパーマーケットやコンビニエンスストア等の店舗のレジに設置されており、顧客から受け取った紙幣や硬貨を店員が貨幣釣銭機に入金するとともに、釣銭としての紙幣や硬貨が貨幣釣銭機から出金されるようになっている。
【０００３】
従来の貨幣釣銭機では、釣銭として紙幣および硬貨の両方が出金される場合に、紙幣と硬貨を同時に出金させるものが多いが、店舗の運用によっては、まず紙幣を先に出金させ、紙幣の出金が完了した後に硬貨を出金させるようになっているものがある。例えば、特許文献１には、店舗のレジにおいて使用されるＰＯＳレジスタに接続される自動釣銭機として、複数枚の紙幣と硬貨とを払い出すときに紙幣を先に払い出してから硬貨を払い出すものが用いられることが開示されている。このような自動釣銭機によれば、釣銭として出金される紙幣の取り忘れを防止することができるようになる。
【先行技術文献】
【特許文献】
【０００４】
【特許文献１】特許第５４５８５６６号
【発明の概要】
【発明が解決しようとする課題】
【０００５】
特許文献１に開示される自動釣銭機では、紙幣出金口に払い出した紙幣の抜き取りを検知する検知手段が設けられており、ＰＯＳレジスタから受信した釣銭額により紙幣および硬貨を払い出すときに、釣銭として払い出す紙幣が１枚の場合は、紙幣の繰り出しを開始すると共に硬貨の繰り出しを開始し、一方、釣銭として払い出す紙幣が複数枚の場合は、先に紙幣を紙幣出金口に払い出し、検知手段によって紙幣出金口から紙幣が抜き取られたことを検知した後に、硬貨出金口への硬貨の繰り出しを開始するようになっている（特許文献１の請求項１参照）。このような自動釣銭機では、釣銭として払い出すべき紙幣が複数枚の場合は、検知手段によって紙幣出金口から紙幣が抜き取られたことを検知した後に硬貨出金口への硬貨の繰り出しを開始するため、出金処理にかかる時間が長くなってしまうという問題がある。
【０００６】
また、特許文献１には、上記の自動釣銭機とは別のタイプの自動釣銭機として、受信した釣銭額により紙幣および硬貨を払い出すときに、釣銭として払い出す紙幣が１枚の場合は、紙幣の繰り出しを開始すると共に硬貨の繰り出しを開始し、一方、釣銭として払い出す紙幣が複数枚の場合は、紙幣の紙幣出金口への払い出し完了前に、硬貨出金口への硬貨の繰り出しを開始するものが開示されている（特許文献１の請求項２等参照）。このような自動釣銭機によれば、検知手段によって紙幣出金口から紙幣が抜き取られたことを検知した後に硬貨出金口への硬貨の繰り出しを開始する場合と比較して、出金処理にかかる時間を短くすることができる。しかしながら、紙幣の出金処理開始から硬貨の出金処理開始までの時間（特許文献２の図５における時間Ｔ３）の設定については、特許文献２では単に「例えば３秒や４秒等の数秒単位で設定する」としか記載されておらず不明確であるという問題がある。このため、出金されるべき紙幣や硬貨の枚数によっては紙幣の出金処理開始から硬貨の出金処理開始までの時間が長すぎたり短すぎたりしてしまうおそれがある。
【０００７】
本発明は、このような点を考慮してなされたものであって、機体外に投出された紙幣の取り忘れを防止することができるとともに、紙幣の投出動作開始から硬貨の投出動作開始までの時間を適切な大きさとすることができるため出金処理にかかる時間を短縮することができる貨幣処理機、貨幣処理システムおよび貨幣処理方法を提供することを目的とする。
【０００８】
また、本発明の他の目的は、機体外に投出されるべき硬貨が全て硬貨出金一時保留部に送られても紙幣出金一時保留部に一時的に保留された紙幣が機体外に投出されるまでは硬貨出金一時保留部に一時的に保留された硬貨を機体外に投出しないため、紙幣処理装置の機体外に投出された紙幣の取り忘れを防止することができる貨幣処理機、貨幣処理システムおよび貨幣処理方法を提供することにある。
【課題を解決するための手段】
【０００９】
本発明の貨幣処理機は、少なくとも紙幣の出金処理を行う紙幣処理装置および少なくとも硬貨の出金処理を行う硬貨処理装置を備えた貨幣処理機であって、機体内に収納されている紙幣を機体外に投出するための紙幣投出手段と、機体内に収納されている硬貨を機体外に投出するための硬貨投出手段と、前記紙幣投出手段および前記硬貨投出手段により紙幣および硬貨をそれぞれ投出する際に、前記紙幣投出手段による紙幣の投出動作の開始後、設定時間が経過した後に前記硬貨投出手段による硬貨の投出動作を開始するよう前記紙幣投出手段および前記硬貨投出手段の制御を行う制御部と、を備え、前記制御部において、前記紙幣投出手段および前記硬貨投出手段によりそれぞれ投出されるべき紙幣および硬貨の各々の枚数に基づいて、前記設定時間が設定されるようになっていることを特徴とする。
【００１０】
このような貨幣処理機によれば、紙幣および硬貨をそれぞれ紙幣処理装置および硬貨処理装置から機体外に投出する際に、紙幣の投出動作の開始後、設定時間が経過した後に硬貨の投出動作を開始するようになっており、投出されるべき紙幣および硬貨の各々の枚数に基づいてこの設定時間が設定されるようになっているため、機体外に投出された紙幣の取り忘れを防止することができるとともに、紙幣の投出動作開始から硬貨の投出動作開始までの時間を適切な大きさとすることができるため出金処理にかかる時間を短縮することができる。
【００１１】
上記の貨幣処理機は、前記紙幣投出手段および前記硬貨投出手段によりそれぞれ投出されるべき紙幣および硬貨の各々の枚数の組み合わせと前記設定時間との関係を示すテーブルを記憶する記憶部を更に備え、前記制御部において、前記記憶部に記憶される前記テーブルに基づいて前記設定時間が設定されるようになっていてもよい。
【００１２】
あるいは、前記制御部において、前記紙幣投出手段および前記硬貨投出手段によりそれぞれ投出されるべき紙幣および硬貨の各々の枚数と前記設定時間との間の関係式により前記設定時間が設定されるようになっていてもよい。
【００１３】
上記の貨幣処理機においては、前記制御部において、前記紙幣投出手段による紙幣の投出動作の時間よりも前記硬貨投出手段による硬貨の投出動作の時間が大きくなると見込まれる場合には前記設定時間が０と設定されるようになっていてもよい。
【００１４】
上記の貨幣処理機においては、前記硬貨処理装置において、前記硬貨投出手段により硬貨が機体外に投出される箇所の近傍には表示部が設けられており、前記制御部は、前記紙幣投出手段により機体外に投出された紙幣が前記紙幣処理装置から抜き取られたことが検知されたときに、前記表示部において表示を行うようになっていてもよい。
【００１５】
本発明の貨幣処理システムは、少なくとも紙幣の出金処理を行う紙幣処理装置、少なくとも硬貨の出金処理を行う硬貨処理装置、ならびに前記紙幣処理装置および前記硬貨処理装置の管理を行う管理装置を備えた貨幣処理システムであって、紙幣を機体外に投出するための紙幣投出手段と、硬貨を機体外に投出するための硬貨投出手段と、前記紙幣投出手段および前記硬貨投出手段により紙幣および硬貨をそれぞれ投出する際に、前記紙幣投出手段による紙幣の投出動作の開始後、設定時間が経過した後に前記硬貨投出手段による硬貨の投出動作を開始するよう前記紙幣投出手段および前記硬貨投出手段の制御を行う制御部と、を備え、前記制御部において、前記紙幣投出手段および前記硬貨投出手段によりそれぞれ投出されるべき紙幣および硬貨の各々の枚数に基づいて、前記設定時間が設定されるようになっていることを特徴とする。
【００１６】
このような貨幣処理システムによれば、紙幣および硬貨をそれぞれ紙幣処理装置および硬貨処理装置から機体外に投出する際に、紙幣の投出動作の開始後、設定時間が経過した後に硬貨の投出動作を開始するようになっており、投出されるべき紙幣および硬貨の各々の枚数に基づいてこの設定時間が設定されるようになっているため、機体外に投出された紙幣の取り忘れを防止することができるとともに、紙幣の投出動作開始から硬貨の投出動作開始までの時間を適切な大きさとすることができるため出金処理にかかる時間を短縮することができる。
【００１７】
本発明の貨幣処理方法は、少なくとも紙幣の出金処理を行う紙幣処理装置および少なくとも硬貨の出金処理を行う硬貨処理装置を備えた貨幣処理機において紙幣および硬貨をそれぞれ機体外に投出する貨幣処理方法であって、前記貨幣処理機の機体外に投出されるべき紙幣および硬貨の枚数を特定する工程と、特定された紙幣および硬貨の各々の枚数に基づいて設定時間を設定する工程と、前記紙幣処理装置において紙幣を機体外に投出する動作を開始する工程と、前記紙幣処理装置における紙幣の投出動作の開始後、設定された前記設定時間が経過した後に、前記硬貨処理装置において硬貨を機体外に投出する動作を開始する工程と、を備えたことを特徴とする。
【００１８】
このような貨幣処理方法によれば、紙幣および硬貨をそれぞれ紙幣処理装置および硬貨処理装置から機体外に投出する際に、紙幣の投出動作の開始後、設定時間が経過した後に硬貨の投出動作を開始するようになっており、投出されるべき紙幣および硬貨の各々の枚数に基づいてこの設定時間が設定されるようになっているため、機体外に投出された紙幣の取り忘れを防止することができるとともに、紙幣の投出動作開始から硬貨の投出動作開始までの時間を適切な大きさとすることができるため出金処理にかかる時間を短縮することができる。
【００１９】
本発明の貨幣処理機は、少なくとも紙幣の出金処理を行う紙幣処理装置および少なくとも硬貨の出金処理を行う硬貨処理装置を備えた貨幣処理機であって、機体内に収納されている紙幣を機体外に投出するための紙幣投出手段と、機体内に収納されている硬貨を機体外に投出するための硬貨投出手段と、前記紙幣投出手段により機体外に投出されるべき紙幣が一時的に保留される紙幣出金一時保留部と、前記硬貨投出手段により機体外に投出されるべき硬貨が一時的に保留される硬貨出金一時保留部と、前記紙幣投出手段および前記硬貨投出手段により紙幣および硬貨をそれぞれ投出する際に、機体外に投出されるべき紙幣が全て前記紙幣出金一時保留部に送られた後に当該紙幣出金一時保留部に一時的に保留された紙幣を機体外に投出し、一方、機体外に投出されるべき硬貨が全て前記硬貨出金一時保留部に送られても前記紙幣出金一時保留部に一時的に保留された紙幣が機体外に投出されるまでは前記硬貨出金一時保留部に一時的に保留された硬貨を機体外に投出しないよう前記紙幣投出手段、前記硬貨投出手段、前記紙幣出金一時保留部および前記硬貨出金一時保留部の制御を行う制御部と、を備えたことを特徴とする。
【００２０】
このような貨幣処理機によれば、硬貨処理装置から機体外に投出されるべき硬貨が全て硬貨出金一時保留部に送られても紙幣出金一時保留部に一時的に保留された紙幣が紙幣処理装置の機体外に投出されるまでは硬貨出金一時保留部に一時的に保留された硬貨を硬貨処理装置の機体外に投出しないため、紙幣処理装置の機体外に投出された紙幣の取り忘れを防止することができる。
【００２１】
上記の貨幣処理機においては、前記制御部は、前記紙幣投出手段により機体外に投出された紙幣が前記紙幣処理装置から抜き取られたことが検知されたときに、当該硬貨出金一時保留部に一時的に保留された硬貨を機体外に投出するようになっていてもよい。
【００２２】
上記の貨幣処理機においては、前記硬貨処理装置において、前記硬貨投出手段により硬貨が機体外に投出される箇所の近傍には表示部が設けられており、前記制御部は、前記紙幣投出手段により機体外に投出された紙幣が前記紙幣処理装置から抜き取られたことが検知されたときに、前記表示部において表示を行うようになっていてもよい。
【００２３】
本発明の貨幣処理システムは、少なくとも紙幣の出金処理を行う紙幣処理装置、少なくとも硬貨の出金処理を行う硬貨処理装置、ならびに前記紙幣処理装置および前記硬貨処理装置の管理を行う管理装置を備えた貨幣処理システムであって、機体内に収納されている紙幣を機体外に投出するための紙幣投出手段と、機体内に収納されている硬貨を機体外に投出するための硬貨投出手段と、前記紙幣投出手段により機体外に投出されるべき紙幣が一時的に保留される紙幣出金一時保留部と、前記硬貨投出手段により機体外に投出されるべき硬貨が一時的に保留される硬貨出金一時保留部と、前記紙幣投出手段および前記硬貨投出手段により紙幣および硬貨をそれぞれ投出する際に、機体外に投出されるべき紙幣が全て前記紙幣出金一時保留部に送られた後に当該紙幣出金一時保留部に一時的に保留された紙幣を機体外に投出し、一方、機体外に投出されるべき硬貨が全て前記硬貨出金一時保留部に送られても前記紙幣出金一時保留部に一時的に保留された紙幣が機体外に投出されるまでは前記硬貨出金一時保留部に一時的に保留された硬貨を機体外に投出しないよう前記紙幣投出手段、前記硬貨投出手段、前記紙幣出金一時保留部および前記硬貨出金一時保留部の制御を行う制御部と、を備えたことを特徴とする。
【００２４】
このような貨幣処理システムによれば、硬貨処理装置から機体外に投出されるべき硬貨が全て硬貨出金一時保留部に送られても紙幣出金一時保留部に一時的に保留された紙幣が紙幣処理装置の機体外に投出されるまでは硬貨出金一時保留部に一時的に保留された硬貨を硬貨処理装置の機体外に投出しないため、紙幣処理装置の機体外に投出された紙幣の取り忘れを防止することができる。
【００２５】
本発明の貨幣処理方法は、少なくとも紙幣の出金処理を行う紙幣処理装置および少なくとも硬貨の出金処理を行う硬貨処理装置を備えた貨幣処理機において紙幣および硬貨をそれぞれ機体外に投出する貨幣処理方法であって、機体内に収納されている紙幣のうち機体外に投出されるべき紙幣を紙幣出金一時保留部に一時的に保留させる工程と、機体内に収納されている硬貨のうち機体外に投出されるべき硬貨を硬貨出金一時保留部に一時的に保留させる工程と、機体外に投出されるべき紙幣が全て前記紙幣出金一時保留部に送られた後に当該紙幣出金一時保留部に一時的に保留された紙幣を機体外に投出する工程と、機体外に投出されるべき硬貨が全て前記硬貨出金一時保留部に送られたときに、前記紙幣出金一時保留部に一時的に保留された紙幣が機体外に投出された後に前記硬貨出金一時保留部に一時的に保留された硬貨を機体外に投出する工程と、を備えたことを特徴とする。
【００２６】
このような貨幣処理方法によれば、硬貨処理装置から機体外に投出されるべき硬貨が全て硬貨出金一時保留部に送られても紙幣出金一時保留部に一時的に保留された紙幣が紙幣処理装置の機体外に投出されるまでは硬貨出金一時保留部に一時的に保留された硬貨を硬貨処理装置の機体外に投出しないため、紙幣処理装置の機体外に投出された紙幣の取り忘れを防止することができる。
【発明の効果】
【００２７】
本発明の貨幣処理機、貨幣処理システムおよび貨幣処理方法によれば、紙幣処理装置の機体外に投出された紙幣の取り忘れを防止することができるとともに、紙幣の投出動作開始から硬貨の投出動作開始までの時間を適切な大きさとすることができるため出金処理にかかる時間を短縮することができる。
【００２８】
本発明の他の貨幣処理機、貨幣処理システムおよび貨幣処理方法によれば、硬貨処理装置から機体外に投出されるべき硬貨が全て硬貨出金一時保留部に送られても紙幣出金一時保留部に一時的に保留された紙幣が紙幣処理装置の機体外に投出されるまでは硬貨出金一時保留部に一時的に保留された硬貨を硬貨処理装置の機体外に投出しないため、紙幣処理装置の機体外に投出された紙幣の取り忘れを防止することができる。
【図面の簡単な説明】
【００２９】
【図１】本発明の実施の形態による貨幣処理システムの貨幣釣銭機、棒金収納装置およびＰＯＳレジスタの構成を示す斜視図である。
【図２】図１に示す貨幣処理システムの貨幣釣銭機、棒金収納装置およびＰＯＳレジスタの内部構成を模式的に示す構成図である。
【図３】図１に示す貨幣処理システムの制御系の構成を示す機能ブロック図である。
【図４】図１に示す貨幣処理システムの棒金収納装置において収納ドロアを筐体から引き出したときの状態を示す上面図である。
【図５】図１に示す貨幣処理システムにおいて硬貨釣銭機および紙幣釣銭機からそれぞれ釣銭としての硬貨および紙幣を払い出すときの動作を示すフローチャートである。
【図６】図１に示す貨幣処理システムの硬貨釣銭機に設けられた記憶部に記憶された、硬貨釣銭機および紙幣釣銭機からそれぞれ払い出されるべき紙幣および硬貨の各々の枚数の組み合わせと設定時間との関係を示すテーブルを示す図である。
【図７】図１に示す貨幣処理システムにおいて硬貨釣銭機および紙幣釣銭機からそれぞれ釣銭としての硬貨および紙幣を払い出すときの動作の他の態様を示すフローチャートである。
【発明を実施するための形態】
【００３０】
以下、図面を参照して本発明の実施の形態について説明する。図１乃至図６は、本実施の形態による貨幣釣銭機やこの貨幣釣銭機を備えた貨幣処理システムを示す図である。このうち、図１は、本実施の形態による貨幣処理システムの貨幣釣銭機、棒金収納装置およびＰＯＳレジスタの構成を示す斜視図であり、図２は、図１に示す貨幣処理システムの貨幣釣銭機、棒金収納装置およびＰＯＳレジスタの内部構成を模式的に示す構成図であり、図３は、図１に示す貨幣処理システムの制御系の構成を示す機能ブロック図であり、図４は、図１に示す貨幣処理システムの棒金収納装置において収納ドロアを筐体から引き出したときの状態を示す上面図である。また、図５は、図１に示す貨幣処理システムにおいて硬貨釣銭機および紙幣釣銭機からそれぞれ釣銭としての硬貨および紙幣を払い出すときの動作を示すフローチャートであり、図６は、図１に示す貨幣処理システムの硬貨釣銭機に設けられた記憶部に記憶された、硬貨釣銭機および紙幣釣銭機からそれぞれ払い出されるべき紙幣および硬貨の各々の枚数の組み合わせと設定時間との関係を示すテーブルを示す図である。
【００３１】
まず、本実施の形態による貨幣処理システムの全体構成について図１を用いて説明する。図１に示すように、本実施の形態による貨幣処理システムは、上下に並べて配置された硬貨釣銭機１００および棒金収納装置４００と、これらの硬貨釣銭機１００や棒金収納装置４００の隣に並べて配置された紙幣釣銭機２００と、硬貨釣銭機１００や紙幣釣銭機２００の上方に設けられたＰＯＳレジスタ３００とを備えている。硬貨釣銭機１００および紙幣釣銭機２００は、それぞれ硬貨や紙幣の入出金処理を行うようになっている。これらの硬貨釣銭機１００および紙幣釣銭機２００により貨幣釣銭機が構成されている。また、棒金収納装置４００は、各金種の棒金硬貨（同一金種の硬貨を一定枚数だけ棒状にまとめてフィルムや包装紙等により包装したもの）を取り出し可能に収納するようになっている。また、ＰＯＳレジスタ３００は、硬貨釣銭機１００、紙幣釣銭機２００および棒金収納装置４００の管理を行う管理装置として用いられるようになっている。
【００３２】
図２は、図１に示す貨幣処理システムの硬貨釣銭機１００、紙幣釣銭機２００、棒金収納装置４００およびＰＯＳレジスタ３００の内部構成を模式的に示す構成図であり、図３は、図１に示す貨幣処理システムの制御系の構成を示す機能ブロック図である。ここで、図２において、硬貨釣銭機１００および棒金収納装置４００についてはこれらの硬貨釣銭機１００や棒金収納装置４００を上方から見たときの内部構成が模式的に示されており、紙幣釣銭機２００およびＰＯＳレジスタ３００についてはこれらの紙幣釣銭機２００やＰＯＳレジスタ３００を側方から見たときの内部構成が模式的に示されている。図２および図３に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００３３】
まず、硬貨釣銭機１００の構成について具体的に説明する。図１に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００３４】
硬貨受入部１１４は、硬貨投入口を介して受け入れた硬貨を１層１列状態で１枚ずつ筐体１１０内に取り込むようになっている。より詳細には、硬貨受入部１１４には繰出ベルト（図示せず）が設けられており、硬貨投入口に投入された硬貨を検知するとこの繰出ベルトが駆動されることにより当該繰出ベルトが硬貨を硬貨釣銭機１００の筐体１１０内に１枚ずつ繰り出すようになっている。また、図１に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図２に示すように、硬貨受入部１１４には、当該硬貨受入部１１４により筐体１１０内に取り込まれた硬貨を搬送する入金搬送部１０３が接続されている。
【００３５】
図２に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３６】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図２における下側）から低額順に各硬貨収納部１０６に硬貨が金種毎に収納されるようになっている。また、硬貨収納部１０６には、当該硬貨収納部１０６に収納された硬貨を１枚ずつ出金搬送部１０８に繰り出す繰出機構（図示せず）が設けられている。
【００３７】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。また、本実施の形態では、硬貨釣銭機１００において硬貨の出金処理を行う際に、硬貨収納部１０６から繰り出された硬貨を出金搬送部１０８上に一時的に保留させることができ、硬貨釣銭機１００から払い出されるべき硬貨が全て硬貨収納部１０６から出金搬送部１０８に繰り出された後、出金搬送部１０８上に一時的に保留された硬貨を硬貨払出部１１６へ搬送するような運用を行うこともできるようになっている。このような運用が行われる場合には、出金搬送部１０８は、硬貨釣銭機１００の機体外に投出されるべき硬貨が一時的に保留される硬貨出金一時保留部として機能するようになる。
【００３８】
硬貨払出部１１６には、出金搬送部１０８から硬貨払出部１１６に送られて当該硬貨払出部１１６に集積された硬貨を検知する硬貨残留検知センサ（図示せず）が設けられている。このような硬貨残留検知センサにより、出金搬送部１０８から硬貨払出部１１６に送られた硬貨が当該硬貨払出部１１６から操作者によって全て抜き取られたときにこのことが検知されるようになる。
【００３９】
また、図１に示すように、硬貨釣銭機１００における硬貨受入部１１４の手前側の位置には、その頂点が当該硬貨受入部１１４を向くような三角形のＬＥＤランプ１５０が設けられている。そして、例えば顧客から預かった売上金としての硬貨を店員が硬貨釣銭機１００の機体内に投入する際に、ＬＥＤランプ１５０が点灯することにより、当該店員は顧客から預かった売上金としての硬貨をどこに投入すれば良いかが一目で分かるようになる。また、硬貨釣銭機１００における硬貨払出部１１６の上方の位置には、その頂点が当該硬貨払出部１１６を向くような三角形のＬＥＤランプ１５２が設けられている。釣銭としての硬貨が硬貨釣銭機１００の機体外に払い出される際に、ＬＥＤランプ１５２が点灯することにより、店員は釣銭としての硬貨をどこから抜き取れば良いかが一目で分かるようになる。
【００４０】
なお、本実施の形態による硬貨釣銭機１００では、硬貨収納部１０６（具体的には、硬貨収納部１０６に設けられた、当該硬貨収納部１０６から出金搬送部１０８に硬貨を繰り出すための繰出機構）、出金搬送部１０８および硬貨払出部１１６等により、硬貨釣銭機１００の機体内に収納されている硬貨を機体外に投出するための硬貨投出手段が構成されている。
【００４１】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００４２】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが設けられている。また、周回搬送部２０３ａには紙幣識別部２０１が設けられており、この紙幣識別部２０１は、当該紙幣識別部２０１を通過する紙幣の識別を行うようになっている。
【００４３】
また、周回搬送部２０３ａと各接続搬送部２０３ｂとの間で紙幣の搬送経路を切り換える経路切換部（図示せず）が、周回搬送部２０３ａに沿って配置されている。
【００４４】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００４５】
紙幣受入部２１４は、紙幣受入口２１４ａに投入された紙幣を検知すると駆動され、当該紙幣受入口２１４ａに投入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。具体的には、３つの紙幣収納部２０６として、一万円札を収納する紙幣収納部２０６、五千円札および二千円札を混合状態で収納する紙幣収納部２０６、および千円札を収納する紙幣収納部２０６がそれぞれ設けられている。また、紙幣収納部２０６には、当該紙幣収納部２０６に収納された紙幣を１枚ずつ周回搬送部２０３ａに繰り出す繰出機構（図示せず）が設けられている。
【００４６】
また、紙幣払出部２１６は、各紙幣収納部２０６から周回搬送部２０３ａに繰り出された紙幣を紙幣取出口２１６ａより機外へ放出するようになっている。より詳細には、紙幣釣銭機２００において紙幣の出金処理を行う際に、紙幣釣銭機２００から払い出されるべき紙幣が全て各紙幣収納部２０６から紙幣払出部２１６に送られるまでは各紙幣収納部２０６から紙幣払出部２１６に送られた紙幣は当該紙幣払出部２１６で一時的に保留されるようになっている。そして、紙幣釣銭機２００から払い出されるべき紙幣が全て各紙幣収納部２０６から紙幣払出部２１６に送られた後、紙幣払出部２１６に一時的に保留された紙幣が一括して紙幣取出口２１６ａに送られ、操作者はこの紙幣取出口２１６ａから紙幣の束を抜き取ることができるようになる。このように、紙幣払出部２１６は、紙幣釣銭機２００の機体外に投出されるべき紙幣が一時的に保留される紙幣出金一時保留部として機能するようになる。また、紙幣取出口２１６ａには、紙幣払出部２１６から紙幣取出口２１６ａに送られた紙幣を検知する紙幣残留検知センサ（図示せず）が設けられている。このような紙幣残留検知センサにより、紙幣払出部２１６から紙幣取出口２１６ａに送られた紙幣が操作者によって全て抜き取られたときにこのことが検知されるようになる。
【００４７】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から筐体２１０内に取り込まれた紙幣のうち、汚損等により紙幣識別部２０１で識別することができない紙幣は入金リジェクト紙幣として紙幣払出部２１６に返却されるようになっている。
【００４８】
なお、本実施の形態による紙幣釣銭機２００では、紙幣収納部２０６（具体的には、紙幣収納部２０６に設けられた、当該紙幣収納部２０６から周回搬送部２０３ａに紙幣を繰り出すための繰出機構）、周回搬送部２０３ａおよび紙幣払出部２１６等により、紙幣釣銭機２００の機体内に収納されている紙幣を機体外に投出するための紙幣投出手段が構成されている。
【００４９】
次に、棒金収納装置４００の構成について具体的に説明する。図１、図２および図４に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている（図４において、収納ドロア４１２に収納された各金種の棒金硬貨を斜線で示している）。ここで、収納ドロア４１２には、棒金硬貨を１本ずつ収納する収納部（ポケット）が複数個形成されており、各収納部に収納される棒金硬貨の金種毎の収納本数および位置が予め設定されている。具体的には、図４において参照符号Ａで示す領域には８本の１００円の棒金硬貨が収納可能となっており、参照符号Ｂで示す領域には１本の５００円の棒金硬貨が収納可能となっており、参照符号Ｃで示す領域には１本の５０円の棒金硬貨が収納可能となっている。また、図４において参照符号Ｄで示す領域には６本の１０円の棒金硬貨が収納可能となっており、参照符号Ｅで示す領域には４本の１円の棒金硬貨が収納可能となっており、参照符号Ｆで示す領域には１本の５円の棒金硬貨が収納可能となっている。
【００５０】
また、図２に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。
【００５１】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図２等に示すように、棒金検知部４１４は左右一対の光センサ４１４ａおよび筐体４１０からの収納ドロア４１２の引き出し量を検知するロータリエンコーダ４１４ｂを有している。ここで、各光センサ４１４ａは発光素子および受光素子を有しており、発光素子から発せられた光は、棒金収納装置４００の幅方向（図２における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の孔の有無や直径の大きさが検知されるようになる。前述したように、収納ドロア４１２において、収納される棒金硬貨の金種毎の収納本数および位置が予め設定されているため、光センサ４１４ａにより検知された棒金硬貨の孔の有無や直径の大きさ、ならびにロータリエンコーダ４１４ｂにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【００５２】
なお、本実施の形態による棒金収納装置４００は上記の構成のものに限定されることはない。他の構成の棒金収納装置４００において、収納ドロア４１２に収納されている棒金硬貨の金種毎の本数を検知する棒金検知部４１４として、収納ドロア４１２の収納部に収納される棒金硬貨の有無および金種（材質）を検出するセンサを全ての収納部に配置するような方式のものが用いられてもよい。
【００５３】
次に、ＰＯＳレジスタ３００の構成について具体的に説明する。ＰＯＳレジスタ３００のＰＯＳ制御部３３０は、図２に示すように、硬貨釣銭機１００の上位制御部１２０に通信可能に接続されているとともに、店舗サーバ等の上位端末（図示せず）にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００５４】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には顧客が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、店員等の操作者のＩＤカードを読み取ることにより当該操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【００５５】
図３に、上述のような構成からなる貨幣処理システムの機能ブロック図を示す。図３に示すように、硬貨釣銭機１００の上位制御部１２０には、硬貨釣銭機１００のインターフェース１３２、操作表示部１１２、音声部１１３および記憶部１３４が通信可能に接続されている。この上位制御部１２０は、インターフェース１３２により、紙幣釣銭機２００の紙幣釣銭機制御部２３０やＰＯＳレジスタ３００のＰＯＳ制御部３３０、棒金収納装置４００の棒金収納装置制御部４３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高が表示されるようになっている。また、音声部１１３は、音声により操作者に対して様々な通知を行うことができるようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００５６】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６、ＬＥＤランプ１５０、１５２等がそれぞれ通信可能に接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６、ＬＥＤランプ１５０、１５２等の各々に対して様々な指令が送られるようになっている。
【００５７】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ通信可能に接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５８】
棒金収納装置４００の棒金収納装置制御部４３０には、インターフェース４３２、棒金検知部４１４、ロック部４１６、記憶部４３４等がそれぞれ通信可能に接続されており、棒金検知部４１４から収納ドロア４１２内の棒金硬貨の検知結果が棒金収納装置制御部４３０に送られるとともに、棒金収納装置制御部４３０からロック部４１６に対して収納ドロア４１２を筐体４１０内にロックするか否かの指令が送られるようになっている。また、棒金収納装置４００の棒金収納装置制御部４３０は、インターフェース４３２により、硬貨釣銭機１００の上位制御部１２０に対して信号の送受信を行うようになっている。また、記憶部４３４には、棒金収納装置４００の内部に収納された棒金硬貨の在高等の様々な情報が記憶されるようになっている。
【００５９】
また、ＰＯＳレジスタ３００のＰＯＳ制御部３３０には、表示部３０２、操作部３０４、記憶部３３４、インターフェース３３２、カードリーダ３３６、印字部３３８等がそれぞれ通信可能に接続されており、操作者により操作部３０４に入力された指令が当該操作部３０４からＰＯＳ制御部３３０に送られたり、カードリーダ３３６により読み取られた店員等の操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ等の上位端末（図示せず）に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００６０】
次に、このような構成からなる貨幣処理システムの動作について説明する。なお、以下に示す貨幣処理システムの動作は、硬貨釣銭機１００の硬貨釣銭機制御部１３０や紙幣釣銭機２００の紙幣釣銭機制御部２３０が硬貨釣銭機１００や紙幣釣銭機２００の各構成要素をそれぞれ制御することにより行われる。
【００６１】
まず、店員が顧客から預かった売上金としての硬貨を硬貨釣銭機１００に入金する場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００６２】
また、硬貨釣銭機１００から釣銭としての硬貨を出金する場合には、店員は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、店員は、硬貨払出部１１６から釣銭としての硬貨を抜き取ることができるようになる。
【００６３】
次に、店員が顧客から預かった売上金としての紙幣を紙幣釣銭機２００に入金する場合の動作について以下に説明する。紙幣釣銭機２００の紙幣受入口２１４ａに紙幣が投入されると、紙幣受入部２１４は、紙幣受入口２１４ａに投入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００６４】
また、当該紙幣釣銭機２００から釣銭としての紙幣を出金する場合には、店員は操作表示部１１２により出金されるべき紙幣の金種別の枚数や合計金額等を入力する。あるいは、ＰＯＳレジスタ３００のＰＯＳ制御部３３０から出金指令が上位制御部１２０を介して紙幣釣銭機制御部２３０に送られることにより、紙幣釣銭機２００から釣銭としての紙幣が出金されるようになる。紙幣釣銭機制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、店員は、紙幣釣銭機２００から出金された紙幣を紙幣取出口２１６ａから抜き取ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００６５】
また、硬貨釣銭機１００および紙幣釣銭機２００からそれぞれ硬貨および紙幣を出金する際に、硬貨釣銭機１００の硬貨釣銭機制御部１３０や紙幣釣銭機２００の紙幣釣銭機制御部２３０は、紙幣釣銭機２００において紙幣の投出動作を開始した後、所定の設定時間が経過した後に硬貨釣銭機１００において硬貨の投出動作を開始するよう、硬貨釣銭機１００や紙幣釣銭機２００の各構成要素をそれぞれ制御するようになっている。ここで、本実施の形態では、硬貨釣銭機１００の上位制御部１２０において、硬貨釣銭機１００および紙幣釣銭機２００においてそれぞれ投出されるべき紙幣および硬貨の各々の枚数に基づいて、上記の設定時間が設定されるようになっている。このような、硬貨釣銭機１００および紙幣釣銭機２００からそれぞれ硬貨および紙幣を出金する際の動作について図５に示すフローチャートを用いて以下に説明する。
【００６６】
硬貨釣銭機１００および紙幣釣銭機２００からなる貨幣釣銭機において、釣銭としての硬貨や紙幣を出金するにあたり、まず、貨幣釣銭機の機体外に投出されるべき紙幣および硬貨の枚数が特定される（ＳＴＥＰ１）。具体的には、操作者がＰＯＳレジスタ３００の操作部３０４により、出金されるべき硬貨や紙幣の金種別の枚数や合計金額等を入力すると、ＰＯＳレジスタ３００のＰＯＳ制御部３３０から出金指令とともに出金されるべき硬貨や紙幣の金種別の枚数や合計金額等に係る情報が上位制御部１２０に送られ、当該上位制御部１２０において貨幣釣銭機の機体外に投出されるべき紙幣および硬貨の枚数が特定されるようになる。ここで、ＰＯＳレジスタ３００のＰＯＳ制御部３３０から出金されるべき硬貨や紙幣の合計金額に係る情報が上位制御部１２０に送られた場合には、当該上位制御部１２０において貨幣釣銭機の機体外に投出されるべき紙幣および硬貨の枚数がそれぞれ算出されるようになる。また、操作者はＰＯＳレジスタ３００の操作部３０４ではなく硬貨釣銭機１００の操作表示部１１２により、貨幣釣銭機の機体外に投出されるべき紙幣および硬貨の枚数や合計金額等を入力するようにしてもよい。この場合でも、上位制御部１２０において貨幣釣銭機の機体外に投出されるべき紙幣および硬貨の枚数が特定されるようになる。
【００６７】
上位制御部１２０は、当該上位制御部１２０において特定された、貨幣釣銭機の機体外に投出されるべき紙幣および硬貨の枚数に基づいて設定時間を設定する（ＳＴＥＰ２）。具体的には、記憶部１３４には、硬貨釣銭機１００および紙幣釣銭機２００からそれぞれ投出されるべき硬貨および紙幣の各々の枚数と設定時間との関係を示すテーブル（図６参照）が記憶されており、上位制御部１２０において、記憶部１３４に記憶される当該テーブルに基づいて設定時間が設定されるようになっている。そして、紙幣釣銭機２００において紙幣を機体外に投出する動作を開始した後（ＳＴＥＰ３）、上位制御部１２０において設定された設定時間が経過した後に（ＳＴＥＰ４のＹＥＳ）、硬貨釣銭機１００において硬貨を機体外に投出する動作を開始するようになる。
【００６８】
ここで、本実施の形態による貨幣釣銭機では、硬貨釣銭機１００において硬貨収納部１０６から出金搬送部１０８に繰り出された硬貨が硬貨払出部１１６に送られるまで硬貨１枚あたり約０．２秒かかり、一方、紙幣釣銭機２００において紙幣収納部２０６から周回搬送部２０３ａに繰り出された紙幣が紙幣払出部２１６に送られるまで紙幣１枚あたり約０．５秒かかるようになっている。そして、本実施の形態では、硬貨釣銭機１００から出金されるべき全ての硬貨が硬貨払出部１１６に送られるタイミングよりも紙幣釣銭機２００から出金されるべき全ての紙幣が紙幣払出部２１６に送られるタイミングが常に早くなるよう、図６に示すテーブルにおいて投出されるべき硬貨および紙幣の各々の枚数に対応する設定時間が０．５秒単位で設定されている。具体的には、紙幣釣銭機２００から投出されるべき紙幣の枚数が３枚であり、硬貨釣銭機１００から投出されるべき硬貨の枚数が４枚である場合には、紙幣釣銭機２００において紙幣収納部２０６から周回搬送部２０３ａに繰り出された紙幣が紙幣払出部２１６に送られるまで約１．５秒（＝０．５秒×３枚）かかるのに対し、硬貨釣銭機１００において硬貨収納部１０６から出金搬送部１０８に繰り出された硬貨が硬貨払出部１１６に送られるまで約０．８秒（＝０．２秒×４枚）かかるようになる。この場合には、図６に示すテーブルに示すように設定時間を１秒とすることにより、紙幣釣銭機２００において紙幣収納部２０６から紙幣を周回搬送部２０３ａに繰り出す動作を開始した後、上位制御部１２０において設定された設定時間である１秒が経過した後に、硬貨釣銭機１００において硬貨収納部１０６から硬貨を出金搬送部１０８に繰り出す動作を開始するようにすると、硬貨釣銭機１００から出金されるべき全ての硬貨が硬貨払出部１１６に送られるタイミングよりも紙幣釣銭機２００から出金されるべき全ての紙幣が紙幣払出部２１６に送られるタイミングが早くなる。このように、釣銭として紙幣および硬貨の両方が貨幣釣銭機から出金される場合に、出金されるべき全ての紙幣を紙幣払出部２１６に送った後に、出金されるべき全ての硬貨を硬貨払出部１１６に送ることにより、釣銭として出金される紙幣を操作者が取り忘れてしまうことを防止することができるようになる。
【００６９】
図６に示すテーブルにおいて、釣銭として紙幣釣銭機２００から投出されるべき紙幣の枚数は最大で５枚となっている。なぜならば、紙幣釣銭機２００から投出されるべき紙幣の合計金額は最大で９０００円であり、この場合には五千円札１枚および千円札４枚の合計５枚の紙幣が紙幣釣銭機２００から投出されるようになるからである。また、釣銭として硬貨釣銭機１００から投出されるべき硬貨の枚数は最大で１５枚となっている。なぜならば、硬貨釣銭機１００から投出されるべき硬貨の合計金額は最大で９９９円であり、この場合には５００円硬貨１枚、１００円硬貨４枚、５０円硬貨１枚、１０円硬貨４枚、５円硬貨１枚および１円硬貨４枚の合計１５枚の硬貨が硬貨釣銭機１００から投出されるようになるからである。
【００７０】
また、図６に示すテーブルにおいて、紙幣釣銭機２００における紙幣の投出動作の時間よりも硬貨釣銭機１００における硬貨の投出動作の時間が大きくなると見込まれる場合には、設定時間が０と設定されるようになっている。具体的には、紙幣釣銭機２００から投出されるべき紙幣の枚数が２枚であり、硬貨釣銭機１００から投出されるべき硬貨の枚数が６枚である場合には、紙幣釣銭機２００において紙幣収納部２０６から周回搬送部２０３ａに繰り出された紙幣が紙幣払出部２１６に送られるまで約１．０秒（＝０．５秒×２枚）かかるのに対し、硬貨釣銭機１００において硬貨収納部１０６から出金搬送部１０８に繰り出された硬貨が硬貨払出部１１６に送られるまで約１．２秒（＝０．２秒×６枚）かかるようになるため、紙幣釣銭機２００における紙幣の投出動作の時間よりも硬貨釣銭機１００における硬貨の投出動作の時間が大きくなると見込まれるようになり、設定時間が０と設定される。そして、設定時間が０と設定された場合には、紙幣釣銭機２００において紙幣収納部２０６から紙幣を周回搬送部２０３ａに繰り出す動作と、硬貨釣銭機１００において硬貨収納部１０６から硬貨を出金搬送部１０８に繰り出す動作とを同時に開始するようになる。この場合でも、硬貨釣銭機１００から出金されるべき全ての硬貨が硬貨払出部１１６に送られるタイミングよりも紙幣釣銭機２００から出金されるべき全ての紙幣が紙幣払出部２１６に送られるタイミングが早くなり、釣銭として出金される紙幣を操作者が取り忘れてしまうことを防止することができるようになる。
【００７１】
本実施の形態では、上述したように、紙幣釣銭機２００から釣銭として払い出されるべき紙幣が全て各紙幣収納部２０６から紙幣払出部２１６に送られるまでは各紙幣収納部２０６から紙幣払出部２１６に送られた紙幣は当該紙幣払出部２１６で一時的に保留される。そして、紙幣釣銭機２００から釣銭として払い出されるべき紙幣が全て各紙幣収納部２０６から紙幣払出部２１６に送られた後、紙幣払出部２１６に一時的に保留された紙幣が一括して紙幣取出口２１６ａに送られ、操作者はこの紙幣取出口２１６ａから紙幣の束を抜き取ることができるようになる。ここで、紙幣払出部２１６に一時的に保留された紙幣が一括して紙幣取出口２１６ａに送られると、硬貨釣銭機１００の操作表示部１１２やＰＯＳレジスタ３００の表示部３０２には、操作者に対して紙幣取出口２１６ａからの紙幣の抜き取り動作を催促する旨のメッセージが表示される。なお、この際に、音声部１１３により、操作者に対して紙幣取出口２１６ａからの紙幣の抜き取り動作を催促する旨の音声が発せられるようになっていてもよい。
【００７２】
また、操作者が紙幣取出口２１６ａから紙幣の束を抜き取る前に硬貨釣銭機１００の硬貨払出部１１６から硬貨を抜き取ってしまった場合には（ＳＴＥＰ６の「ＹＥＳ」）、操作者に対して紙幣取出口２１６ａからの紙幣の抜き取り動作が行われていないことを警告する旨のメッセージが硬貨釣銭機１００の操作表示部１１２やＰＯＳレジスタ３００の表示部３０２に表示される（ＳＴＥＰ７）。また、この際に、音声部１１３により、操作者に対して紙幣取出口２１６ａからの紙幣の抜き取り動作が行われていないことを警告する旨の音声が発せられるようになっていてもよい。このことにより、操作者が釣銭としての紙幣を紙幣取出口２１６ａから抜き取る動作を忘れてしまうことを防止することができ、よって店員が顧客に釣銭を渡す際に紙幣を渡しそびれてしまうことを防止することができるようになる。
【００７３】
また、本実施の形態では、操作者が紙幣取出口２１６ａから釣銭としての紙幣の束を抜き取るまでは、釣銭として払い出されるべき全ての硬貨が硬貨払出部１１６に集積されているときでも、硬貨払出部１１６に対応するＬＥＤランプ１５２を点灯させないようにしてもよい。この場合には、操作者が紙幣取出口２１６ａから釣銭としての紙幣の束を抜き取った後、硬貨払出部１１６に対応するＬＥＤランプ１５２が点灯するようになる。貨幣釣銭機においてこのような動作が行われる場合には、操作者が紙幣取出口２１６ａから釣銭としての紙幣の束を抜き取った後、ＬＥＤランプ１５２が点灯したことを視認することにより硬貨払出部１１６から硬貨を抜き取るようになるため、まず紙幣を紙幣取出口２１６ａから抜き取ってから次に硬貨を硬貨払出部１１６から抜き取るという動作を操作者に習慣づけることができるようになる。
【００７４】
また、貨幣釣銭機における図５のフローチャートに示すような動作において、上位制御部１２０において貨幣釣銭機から釣銭として出金されるべき紙幣および硬貨の各々の枚数に基づいて設定時間を設定する際に、図６に示すようなテーブルではなく、予め設定された関係式（具体的には、硬貨釣銭機１００および紙幣釣銭機２００から出金されるべき硬貨および紙幣の枚数と設定時間との間の関係式）により設定時間が設定されるようになっている。ここで、設定時間を設定するための関係式として、例えば以下に示す式が用いられる。
Ｔ≧Ｙ×ｂ−Ｘ×ａ      ・・・式（１）
Ｔ：設定時間
Ｘ：硬貨釣銭機１００から出金されるべき硬貨の枚数
Ｙ：紙幣釣銭機２００から出金されるべき紙幣の枚数
ａ：硬貨釣銭機１００において硬貨収納部１０６から出金搬送部１０８に繰り出された硬貨が硬貨払出部１１６に送られるまでにかかる硬貨１枚あたりの時間
ｂ：紙幣釣銭機２００において紙幣収納部２０６から周回搬送部２０３ａに繰り出された紙幣が紙幣払出部２１６に送られるまでにかかる紙幣１枚あたりの時間
【００７５】
例えば、硬貨釣銭機１００において硬貨収納部１０６から出金搬送部１０８に繰り出された硬貨が硬貨払出部１１６に送られるまで硬貨１枚あたり約０．２秒かかり、一方、紙幣釣銭機２００において紙幣収納部２０６から周回搬送部２０３ａに繰り出された紙幣が紙幣払出部２１６に送られるまで紙幣１枚あたり約０．５秒かかるようになっている場合において、紙幣釣銭機２００から出金されるべき紙幣の枚数が３枚であり、硬貨釣銭機１００から出金されるべき硬貨の枚数が４枚であるときには、設定時間Ｔ≧０．７秒（＝０．５秒×３枚−０．２秒×４枚）となるよう当該設定時間Ｔが設定される。ここで、設定時間Ｔが０．５秒単位で設定されるようになっているときには、設定時間Ｔは１秒となる。
【００７６】
なお、上記式（１）において、Ｙ×ｂ−Ｘ×ａの値がマイナスとなる場合には、すなわち、紙幣釣銭機２００における紙幣の投出動作の時間よりも硬貨釣銭機１００における硬貨の投出動作の時間が大きくなると見込まれる場合には、設定時間が０と設定されるようになる。そして、設定時間が０と設定された場合には、上述したように、紙幣釣銭機２００において紙幣収納部２０６から紙幣を周回搬送部２０３ａに繰り出す動作と、硬貨釣銭機１００において硬貨収納部１０６から硬貨を出金搬送部１０８に繰り出す動作とを同時に開始するようになる。
【００７７】
以上のような構成からなる本実施の形態の貨幣釣銭機およびこのような貨幣釣銭機を備えた貨幣処理システムによれば、硬貨釣銭機１００の硬貨釣銭機制御部１３０や紙幣釣銭機２００の紙幣釣銭機制御部２３０は、硬貨釣銭機１００および紙幣釣銭機２００において釣銭としての硬貨および紙幣を出金する際に（具体的には、硬貨投出手段および紙幣投出手段により硬貨および紙幣をそれぞれ投出する際に）、紙幣釣銭機２００における紙幣の投出動作の開始後、設定時間が経過した後に硬貨釣銭機１００における硬貨の投出動作を開始するよう硬貨釣銭機１００および紙幣釣銭機２００の各構成部材の制御を行うようになっている。また、上位制御部１２０において、硬貨釣銭機１００および紙幣釣銭機２００から出金されるべき釣銭としての硬貨および紙幣の各々の枚数に基づいて、設定時間が設定されるようになっている。このように、硬貨釣銭機１００および紙幣釣銭機２００から出金されるべき釣銭としての硬貨および紙幣の各々の枚数に基づいて、紙幣の投出動作の開始のタイミングと硬貨の投出動作の開始のタイミングとの差である設定時間が設定されるようになっているため、紙幣払出部２１６から紙幣取出口２１６ａに紙幣が送られて当該紙幣取出口２１６ａから釣銭としての紙幣を抜き取り可能となった後に硬貨払出部１１６に釣銭としての硬貨が集積されるようになる。このため、紙幣払出部２１６から紙幣取出口２１６ａに送られた紙幣の取り忘れを防止することができる。また、硬貨釣銭機１００および紙幣釣銭機２００から出金されるべき釣銭としての硬貨および紙幣の各々の枚数に基づいて上記の設定時間が適切に設定されるため、紙幣の投出動作開始から硬貨の投出動作開始までの時間を適切な大きさとすることができる。このことによって、紙幣の投出動作終了から硬貨の投出動作終了までの時間をできるだけ短くすることができるようになるため、釣銭としての紙幣および硬貨が全て貨幣釣銭機から出金されるまでの時間（すなわち、出金処理にかかる時間）を短縮することができる。
【００７８】
また、本実施の形態による貨幣釣銭機およびこのような貨幣釣銭機を備えた貨幣処理システムにおいては、上述したように、硬貨釣銭機１００および紙幣釣銭機２００からそれぞれ出金されるべき硬貨および紙幣の各々の枚数の組み合わせと設定時間との関係を示すテーブル（図６参照）が記憶部１３４に記憶されており、上位制御部１２０において、記憶部１３４に記憶されるテーブルに基づいて設定時間が設定されるようになっている。あるいは、上位制御部１２０において、硬貨釣銭機１００および紙幣釣銭機２００からそれぞれ出金されるべき硬貨および紙幣の各々の枚数と設定時間との間の関係式（具体的には、上記の式（１））により設定時間が設定されるようになっていてもよい。
【００７９】
また、本実施の形態による貨幣釣銭機およびこのような貨幣釣銭機を備えた貨幣処理システムにおいては、上述したように、上位制御部１２０において、紙幣釣銭機２００における紙幣の投出動作の時間よりも硬貨釣銭機１００における硬貨の投出動作の時間が大きくなると見込まれる場合には、設定時間が０と設定されるようになっている。この場合には、紙幣釣銭機２００において紙幣収納部２０６から紙幣を周回搬送部２０３ａに繰り出す動作と、硬貨釣銭機１００において硬貨収納部１０６から硬貨を出金搬送部１０８に繰り出す動作とを同時に開始するようになる。なお、この場合でも、硬貨釣銭機１００から出金されるべき全ての硬貨が硬貨払出部１１６に送られるタイミングよりも紙幣釣銭機２００から出金されるべき全ての紙幣が紙幣払出部２１６に送られるタイミングが早くなるため、釣銭として出金される紙幣を操作者が取り忘れてしまうことを防止することができるようになる。
【００８０】
また、本実施の形態による貨幣釣銭機およびこのような貨幣釣銭機を備えた貨幣処理システムにおいては、上述したように、硬貨釣銭機１００において、硬貨が機体外に投出される箇所（具体的には、硬貨払出部１１６）の近傍にはＬＥＤランプ１５２が表示部として設けられており、上位制御部１２０は、紙幣釣銭機２００において機体外に投出された紙幣が紙幣取出口２１６ａから抜き取られたことが検知されたときに、ＬＥＤランプ１５２を点灯させるようになっている。この場合には、操作者が紙幣取出口２１６ａから釣銭としての紙幣の束を抜き取った後、硬貨払出部１１６に対応するＬＥＤランプ１５２が点灯するようになる。貨幣釣銭機においてこのような動作が行われる場合には、操作者が紙幣取出口２１６ａから釣銭としての紙幣の束を抜き取った後、ＬＥＤランプ１５２が点灯したことを視認することにより硬貨払出部１１６から硬貨を抜き取るようになるため、まず紙幣を紙幣取出口２１６ａから抜き取ってから次に硬貨を硬貨払出部１１６から抜き取るという動作を操作者に習慣づけることができるようになる。
【００８１】
なお、本実施の形態による貨幣釣銭機やこのような貨幣釣銭機を備えた貨幣処理システムは、上述したような態様に限定されることはなく、様々な変更を加えることができる。
【００８２】
例えば、図１乃至図４に示す貨幣処理システムでは、硬貨釣銭機１００および紙幣釣銭機２００が別々に設けられているが、変形例に係る貨幣処理システムにおいて、硬貨釣銭機１００および紙幣釣銭機２００が一体化されたものが用いられてもよい。また、上記の説明では、硬貨釣銭機１００、紙幣釣銭機２００、棒金収納装置４００およびＰＯＳレジスタ３００を備えた貨幣処理システムについて述べたが、本実施の形態による貨幣処理システムはこのような態様のものに限定されることはない。本実施の形態による貨幣処理システムの他の例として、硬貨釣銭機１００、紙幣釣銭機２００および棒金収納装置４００を備えたもの（すなわち、ＰＯＳレジスタ３００が設けられていないもの）が用いられてもよい。また、本実施の形態による貨幣処理システムの更に他の例として、硬貨釣銭機１００、紙幣釣銭機２００およびＰＯＳレジスタ３００を備えたもの（すなわち、ＰＯＳレジスタ３００が設けられていないもの）や、硬貨釣銭機１００および紙幣釣銭機２００のみを備えたもの等が用いられてもよい。
【００８３】
また、上記の説明では、硬貨釣銭機１００および紙幣釣銭機２００から釣銭としての硬貨および紙幣を払い出す際に、上位制御部１２０において設定時間を設定し、硬貨釣銭機１００の硬貨釣銭機制御部１３０や紙幣釣銭機２００の紙幣釣銭機制御部２３０により、紙幣釣銭機２００における紙幣の投出動作の開始後、この設定時間が経過した後に硬貨釣銭機１００における硬貨の投出動作を開始するよう硬貨釣銭機１００および紙幣釣銭機２００の各構成部材が制御されるようになっているが、このような釣銭としての硬貨および紙幣を払い出す動作の制御を行うのは上記の各制御部１２０、１３０、２３０に限定されることはない。例えば、ＰＯＳレジスタ３００の記憶部３３４に図６に示すようなテーブルが記憶されており、硬貨釣銭機１００および紙幣釣銭機２００から釣銭としての硬貨および紙幣を払い出す際に、このＰＯＳレジスタ３００のＰＯＳ制御部３３０において設定時間が設定され、当該ＰＯＳ制御部３３０により、紙幣釣銭機２００における紙幣の投出動作の開始後、この設定時間が経過した後に硬貨釣銭機１００における硬貨の投出動作を開始するよう硬貨釣銭機１００および紙幣釣銭機２００の各構成部材が制御されるようになっていてもよい。また、紙幣釣銭機２００や棒金収納装置４００に、図６に示すようなテーブルを記憶する記憶部が設けられていたり、釣銭としての硬貨および紙幣を払い出す動作の制御を行う制御部が設けられていたりしてもよい。
【００８４】
また、本実施の形態による貨幣処理システムでは、硬貨釣銭機１００および紙幣釣銭機２００から釣銭としての硬貨および紙幣をそれぞれ払い出す際に、紙幣払出部２１６から紙幣取出口２１６ａに送られた釣銭としての紙幣が操作者によって抜き取られ、このことが紙幣取出口２１６ａに設けられた紙幣残留検知センサにより検知されたときに、ＰＯＳレジスタ３００において顧客が購入しようとする商品の合計金額や釣銭額等の情報が印字部３３８によりレシートに印字されるようになっていてもよい。ここで、硬貨釣銭機１００および紙幣釣銭機２００から払い出された釣銭としての硬貨や紙幣を店員が顧客に渡す際に、当該店員はまず釣銭としての紙幣を顧客に渡した後、釣銭としての硬貨とともに印字部３３８により印字されたレシートを顧客に渡すようになるが、上記の運用のように紙幣払出部２１６から紙幣取出口２１６ａに送られた釣銭としての紙幣が店員によってこの紙幣取出口２１６ａから抜き取られるまで印字部３３８によりレシートに対する印字を行わないようにすれば、店員が紙幣取出口２１６ａから釣銭としての紙幣を取り忘れたときに当該店員は顧客にレシートを渡すことができなくなるため、この店員は紙幣取出口２１６ａからの釣銭としての紙幣の取り忘れに気づくようになる。このように、紙幣払出部２１６から紙幣取出口２１６ａに送られた釣銭としての紙幣が店員によって抜き取られるまで印字部３３８によりレシートに対する印字を行わないようにすることによって、釣銭として紙幣釣銭機２００から出金される紙幣を店員が取り忘れてしまうことを防止することができるようになる。
【００８５】
また、本実施の形態による貨幣処理システムでは、硬貨釣銭機１００および紙幣釣銭機２００から釣銭としての硬貨および紙幣をそれぞれ払い出す際に、図５のフローチャートに示すような動作が行われる代わりに、図７のフローチャートに示すような動作が行われるようになっていてもよい。なお、本実施の形態による貨幣処理システムにおいて図７のフローチャートに示すような動作が行われる際に、硬貨釣銭機１００において、硬貨収納部１０６から繰り出された硬貨は出金搬送部１０８上に一時的に保留され、硬貨釣銭機１００から機体外に払い出されるべき硬貨が全て硬貨収納部１０６から出金搬送部１０８に繰り出された後、出金搬送部１０８上に一時的に保留された硬貨が硬貨払出部１１６へ搬送されるような運用が行われる。すなわち、出金搬送部１０８は、硬貨釣銭機１００の機体外に投出されるべき硬貨が一時的に保留される硬貨出金一時保留部として機能するようになる。また、本実施の形態による貨幣処理システムにおいて図７のフローチャートに示すような動作が行われる際に、紙幣釣銭機２００において、当該紙幣釣銭機２００から機体外に払い出されるべき紙幣が全て各紙幣収納部２０６から紙幣払出部２１６に送られるまでは各紙幣収納部２０６から紙幣払出部２１６に送られた紙幣は当該紙幣払出部２１６で一時的に保留され、紙幣釣銭機２００から機体外に払い出されるべき紙幣が全て各紙幣収納部２０６から紙幣払出部２１６に送られた後、紙幣払出部２１６に一時的に保留された紙幣が一括して紙幣取出口２１６ａに送られるような運用が行われる。すなわち、紙幣払出部２１６は、紙幣釣銭機２００の機体外に投出されるべき紙幣が一時的に保留される紙幣出金一時保留部として機能するようになる。
【００８６】
硬貨釣銭機１００および紙幣釣銭機２００からなる貨幣釣銭機から釣銭としての硬貨および紙幣をそれぞれ払い出すにあたり、まず、貨幣釣銭機の機体外に投出されるべき紙幣および硬貨の枚数が特定される。このような貨幣釣銭機の機体外に投出されるべき紙幣および硬貨の枚数の特定方法は既に上述した通りである。
【００８７】
貨幣釣銭機の機体外に投出されるべき紙幣および硬貨の枚数が特定されると、硬貨釣銭機１００において硬貨収納部１０６から出金搬送部１０８への硬貨の繰出動作が開始され（ＳＴＥＰ１０１）、また、紙幣釣銭機２００において紙幣収納部２０６から周回搬送部２０３ａへの紙幣の繰出動作が開始される（ＳＴＥＰ２０１）。ここで、硬貨釣銭機１００における硬貨収納部１０６から出金搬送部１０８への硬貨の繰出動作および紙幣釣銭機２００における紙幣収納部２０６から周回搬送部２０３ａへの紙幣の繰出動作は同時に開始されるようになっていてもよく、あるいは紙幣釣銭機２００において紙幣収納部２０６から周回搬送部２０３ａへの紙幣の繰出動作が開始された後に硬貨釣銭機１００において硬貨収納部１０６から出金搬送部１０８への硬貨の繰出動作が開始されるようになっていてもよい。
【００８８】
紙幣釣銭機２００において、紙幣収納部２０６から周回搬送部２０３ａに繰り出された紙幣は紙幣払出部２１６で一時的に保留される（ＳＴＥＰ２０２）。そして、紙幣釣銭機２００の機体外に投出されるべき紙幣が全て紙幣払出部２１６に保留されると（ＳＴＥＰ２０３の「ＹＥＳ」）、紙幣払出部２１６に保留された紙幣が一括して紙幣取出口２１６ａに送られるようになる（ＳＴＥＰ２０４）。この際に、紙幣釣銭機２００の機体外に投出されるべき紙幣が全て紙幣払出部２１６に保留された後、紙幣払出部２１６に保留された紙幣が自動的に紙幣取出口２１６ａに送られるようになっていてもよく、あるいは、紙幣釣銭機２００の機体外に投出されるべき紙幣が全て紙幣払出部２１６に保留された後、操作者がＰＯＳレジスタ３００の操作部３０４や硬貨釣銭機１００の操作表示部１１２によって承認指令を入力することにより紙幣払出部２１６に保留された紙幣が紙幣取出口２１６ａに送られるようになっていてもよい。また、紙幣払出部２１６に保留された紙幣が一括して紙幣取出口２１６ａに送られると、硬貨釣銭機１００の操作表示部１１２やＰＯＳレジスタ３００の表示部３０２には、操作者に対して紙幣取出口２１６ａからの紙幣の抜き取り動作を催促する旨のメッセージが表示される。なお、この際に、音声部１１３により、操作者に対して紙幣取出口２１６ａからの紙幣の抜き取り動作を催促する旨の音声が発せられるようになっていてもよい。
【００８９】
そして、紙幣釣銭機２００において操作者により紙幣取出口２１６ａから紙幣が抜き取られると（ＳＴＥＰ２０５の「ＹＥＳ」）、当該紙幣取出口２１６ａに設けられた紙幣残留検知センサにより、紙幣取出口２１６ａからの紙幣の抜き取りが検知されるようになる（ＳＴＥＰ２０６）。このようにして、紙幣釣銭機２００における釣銭としての紙幣の払い出し動作が完了する。
【００９０】
一方、硬貨釣銭機１００において、硬貨収納部１０６から出金搬送部１０８に繰り出された硬貨は当該出金搬送部１０８上で一時的に保留される（ＳＴＥＰ１０２）。そして、硬貨釣銭機１００の機体外に投出されるべき硬貨が全て出金搬送部１０８に保留されると（ＳＴＥＰ１０３の「ＹＥＳ」）、紙幣釣銭機２００において紙幣取出口２１６ａからの紙幣の抜き取りが検知された後に（ＳＴＥＰ１０４の「ＹＥＳ」）、出金搬送部１０８に保留された硬貨が当該出金搬送部１０８により硬貨払出部１１６に送られるようになる（ＳＴＥＰ１０５）。そして、硬貨払出部１１６から硬貨が抜き取られると（ＳＴＥＰ１０６の「ＹＥＳ」）、硬貨釣銭機１００における釣銭としての硬貨の払い出し動作が完了する。
【００９１】
このように、硬貨釣銭機１００および紙幣釣銭機２００から釣銭としての硬貨および紙幣をそれぞれ払い出す際に、図７のフローチャートに示すような動作が行われる場合には、紙幣釣銭機２００から払い出されるべき紙幣が全て紙幣払出部２１６に保留された後、当該紙幣払出部２１６から紙幣取出口２１６ａに紙幣が送られることにより紙幣取出口２１６ａから紙幣を抜き取り可能となるのに対し、硬貨釣銭機１００から払い出されるべき硬貨が全て出金搬送部１０８に保留されても、紙幣取出口２１６ａから紙幣が抜き取られるまでは当該出金搬送部１０８に保留された硬貨が硬貨払出部１１６に搬送されない。このため、紙幣釣銭機２００から払い出されるべき紙幣が全て紙幣払出部２１６に保留される前に硬貨釣銭機１００から払い出されるべき硬貨が全て出金搬送部１０８に保留されても、操作者は釣銭としての硬貨を先に抜き取ることができない。すなわち、操作者は紙幣取出口２１６ａから紙幣を抜き取らない限り、釣銭としての硬貨を硬貨払出部１１６から抜き取ることができない。このため、紙幣払出部２１６から紙幣取出口２１６ａに送られた紙幣の取り忘れを防止することができる。
【００９２】
なお、図７のフローチャートに示すような動作の変形例として、紙幣釣銭機２００において紙幣取出口２１６ａからの紙幣の抜き取りが検知された後に、出金搬送部１０８に保留された硬貨が当該出金搬送部１０８により硬貨払出部１１６に送られる代わりに、紙幣釣銭機２００において紙幣払出部２１６に保留された紙幣が当該紙幣払出部２１６から紙幣取出口２１６ａに送られた後に、出金搬送部１０８に保留された硬貨が当該出金搬送部１０８により硬貨払出部１１６に送られるようになっていてもよい。この場合には、紙幣払出部２１６から紙幣取出口２１６ａに紙幣が送られることにより操作者は釣銭として抜き取るべき紙幣が紙幣取出口２１６ａに存在することを視認することができるようになるため、紙幣払出部２１６から紙幣取出口２１６ａに送られた紙幣の取り忘れを防止することができるようになる。
【００９３】
また、硬貨釣銭機１００および紙幣釣銭機２００から釣銭としての硬貨および紙幣をそれぞれ払い出す際に、図７のフローチャートに示すような動作が行われる場合において、操作者が紙幣取出口２１６ａから釣銭としての紙幣の束を抜き取るまでは、硬貨払出部１１６に対応するＬＥＤランプ１５２を点灯させないようにしてもよい。この場合には、操作者が紙幣取出口２１６ａから釣銭としての紙幣の束を抜き取った後、硬貨払出部１１６に対応するＬＥＤランプ１５２が点灯するようになる。貨幣釣銭機においてこのような動作が行われる場合には、操作者が紙幣取出口２１６ａから釣銭としての紙幣の束を抜き取った後、ＬＥＤランプ１５２が点灯したことを視認することにより硬貨払出部１１６から硬貨を抜き取るようになるため、まず紙幣を紙幣取出口２１６ａから抜き取ってから次に硬貨を硬貨払出部１１６から抜き取るという動作を操作者に習慣づけることができるようになる。また、ＬＥＤランプ１５２の点灯方法の他の態様として、出金搬送部１０８に硬貨が保留されている間はＬＥＤランプ１５２が点滅し、紙幣取出口２１６ａから釣銭としての紙幣の束を抜き取った後に当該ＬＥＤランプ１５２が点灯するようになっていてもよい。この場合には、操作者は釣銭として出金されるべき硬貨が出金搬送部１０８に保留されていることもＬＥＤランプ１５２の表示状態により（具体的には、ＬＥＤランプ１５２が点滅していることにより）認識することができるようになる。
【００９４】
また、図７のフローチャートに示すような動作の別の変形例として、硬貨釣銭機１００において硬貨払出部１１６にシャッタが設けられており、当該シャッタが閉じている場合には硬貨払出部１１６から硬貨を取り出すことができないようになっていてもよい。硬貨払出部１１６にシャッタが設けられている場合には、硬貨釣銭機１００において、硬貨収納部１０６から出金搬送部１０８に繰り出された紙幣は当該出金搬送部１０８上で一時的に保留されることなく硬貨払出部１１６に搬送され、この硬貨払出部１１６に保留される。なお、この際に、硬貨払出部１１６は当該硬貨払出部１１６に設けられたシャッタにより閉じられており、操作者は硬貨払出部１１６から硬貨を取り出すことができないようになる。そして、硬貨釣銭機１００の機体外に投出されるべき硬貨が全て硬貨払出部１１６に保留されると、紙幣釣銭機２００において紙幣取出口２１６ａからの紙幣の抜き取りが検知された後に、硬貨払出部１１６に設けられたシャッタが開かれ、当該硬貨払出部１１６から釣銭としての硬貨の抜き取りが可能となる。その後、硬貨払出部１１６から硬貨が抜き取られると、硬貨釣銭機１００における釣銭としての硬貨の払い出し動作が完了する。このような態様の硬貨釣銭機１００では、シャッタが設けられた硬貨払出部１１６が、硬貨釣銭機１００の機体外に投出されるべき硬貨が一時的に保留される硬貨出金一時保留部として機能するようになる。また、上記の動作が行われる場合でも、操作者は紙幣取出口２１６ａから紙幣を抜き取らない限り、釣銭としての硬貨を硬貨払出部１１６から抜き取ることができないため、紙幣払出部２１６から紙幣取出口２１６ａに送られた紙幣の取り忘れを防止することができる。
【００９５】
また、図７のフローチャートに示すような動作の更に別の変形例として、硬貨釣銭機１００において、当該硬貨釣銭機１００の機体外に投出されるべき硬貨が一時的に保留される硬貨出金一時保留部が出金搬送部１０８や硬貨払出部１１６とは別に設けられていてもよい。この場合には、硬貨釣銭機１００において、硬貨収納部１０６から出金搬送部１０８に繰り出された紙幣は当該出金搬送部１０８により硬貨出金一時保留部に搬送され、この硬貨出金一時保留部に保留される。そして、硬貨釣銭機１００の機体外に投出されるべき硬貨が全て硬貨出金一時保留部に保留されると、紙幣釣銭機２００において紙幣取出口２１６ａからの紙幣の抜き取りが検知された後に、硬貨出金一時保留部に保留された硬貨が出金搬送部１０８により硬貨払出部１１６に搬送され、当該硬貨払出部１１６から釣銭としての硬貨の抜き取りが可能となる。
【００９６】
また、紙幣釣銭機２００において、当該紙幣釣銭機２００の機体外に投出されるべき紙幣が一時的に保留される紙幣出金一時保留部が紙幣払出部２１６とは別に設けられていてもよい。この場合には、紙幣釣銭機２００において、紙幣収納部２０６から周回搬送部２０３ａに繰り出された紙幣は当該周回搬送部２０３ａにより紙幣出金一時保留部に搬送され、当該紙幣出金一時保留部で一時的に保留される。そして、紙幣釣銭機２００の機体外に投出されるべき紙幣が全て紙幣出金一時保留部に保留されると、紙幣出金一時保留部に保留された紙幣が周回搬送部２０３ａにより紙幣払出部２１６に搬送され、当該紙幣払出部２１６から更に紙幣取出口２１６ａに紙幣が送られるようになる。この際に、紙幣釣銭機２００の機体外に投出されるべき紙幣が全て紙幣出金一時保留部に保留された後、紙幣出金一時保留部に保留された紙幣が自動的に紙幣取出口２１６ａに送られるようになっていてもよく、あるいは、紙幣釣銭機２００の機体外に投出されるべき紙幣が全て紙幣出金一時保留部に保留された後、操作者がＰＯＳレジスタ３００の操作部３０４や硬貨釣銭機１００の操作表示部１１２によって承認指令を入力することにより紙幣出金一時保留部に保留された紙幣が紙幣取出口２１６ａに送られるようになっていてもよい。また、紙幣出金一時保留部に保留された紙幣が紙幣取出口２１６ａに送られると、硬貨釣銭機１００の操作表示部１１２やＰＯＳレジスタ３００の表示部３０２には、操作者に対して紙幣取出口２１６ａからの紙幣の抜き取り動作を催促する旨のメッセージが表示される。また、紙幣釣銭機２００において紙幣出金一時保留部に保留された紙幣が紙幣取出口２１６ａに送られた後に、硬貨出金一時保留部（出金搬送部１０８や、シャッタが設けられた硬貨払出部１１６を含む）に保留された硬貨が出金搬送部１０８により硬貨払出部１１６に送られるようになっていてもよい。この場合には、紙幣出金一時保留部から紙幣取出口２１６ａに紙幣が送られることにより操作者は釣銭として抜き取るべき紙幣が紙幣取出口２１６ａに存在することを視認することができるようになるため、紙幣出金一時保留部から紙幣取出口２１６ａに送られた紙幣の取り忘れを防止することができるようになる。
【符号の説明】
【００９７】
１００    硬貨釣銭機
１０１    硬貨識別部
１０３    入金搬送部
１０４    分岐部
１０６    硬貨収納部
１０８    出金搬送部
１１０    筐体
１１２    操作表示部
１１３    音声部
１１４    硬貨受入部
１１６    硬貨払出部
１１８    シャッタ
１２０    上位制御部
１３０    硬貨釣銭機制御部
１３２    インターフェース
１３４    記憶部
１５０、１５２  ＬＥＤランプ
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２、３０２ａ  表示部
３０４    操作部
３３０    ＰＯＳ制御部
３３２    インターフェース
３３４    記憶部
３３６    カードリーダ
３３８    印字部
４００    棒金収納装置
４１０    筐体
４１２    収納ドロア
４１４    棒金検知部
４１４ａ  光センサ
４１４ｂ  ロータリエンコーダ
４１６    ロック部
４３０    棒金収納装置制御部
４３２    インターフェース
４３４    記憶部
【図１】
2016033766.tif 000003
【図２】
2016033766.tif 000004
【図３】
2016033766.tif 000005
【図４】
2016033766.tif 000006
【図５】
2016033766.tif 000007
【図６】
2016033766.tif 000008
【図７】
2016033766.tif 000009